(57)【要約】【課題】学生が端末を使いブログ記事を書くだけで、ブログ記事に関連する過去記事を見つることができ、かつ、記事作者の個人情報も提供される学内コミュニケーションシステムを作る。【解決手段】ブログを使う学生生活ナビシステム１であり、サーバー３０は端末頁制御手段３１、ブログ実行手段３２、類似判定手段３３、記事ＤＢ３６、個人情報ＤＢ３７を備え、類似判定手段３３は、指定記事と記事ＤＢに記憶された記事である集積記事の類似度を判定し類似度の高い集積記事を抽出するのもであり、学生端末は記事指定手段を備え、学生端末が指定記事を指定して指定記事と集積記事の類似検索を要求したとき、サーバー内の類似判定手段が記事ＤＢ中の集積記事から類似度の高い高類似集積記事を抽出し、高類似集積記事の作者に関する個人情報を抽出し、これらを学生端末に表示する学生生活ナビシステム。【選択図】図１
2010176340.tif 000002
【特許請求の範囲】
【請求項１】
サーバー、通信回線を通じて前記サーバーに接続される複数の学生端末からなるブログを使った学生生活ナビシステムにおいて、
サーバーは端末頁制御手段、ブログ実行手段、類似判定手段、記事ＤＢ、個人情報ＤＢを備え、
前記端末頁制御手段は、学生生活ナビシステムにおける入出力端末として機能する学生端末の前記機能を制御し、前記サーバー内の前記各手段を制御するとともに前記学生端末と前記サーバー間のデータ送受信を制御し、
ブログ実行手段は前記学生端末にブログ頁を実現・表示させ、
類似判定手段は、指定記事と記事ＤＢに記憶された記事である集積記事の類似度を判定し類似度の高い集積記事を抽出し、
記事ＤＢはブログ頁に書き込まれた記事、前記記事の情報と前記記事の作者を記憶し、
個人情報ＤＢは学生毎の個人情報を記憶するものであり、
前記学生端末は記事指定手段を備え、
前記学生端末が指定記事を指定して前記指定記事と集積記事の類似検索を要求したとき、前記サーバー内の前記類似判定手段が記事ＤＢ中の集積記事から類似度の高い高類似集積記事を抽出し、さらに前記端末頁制御手段が前記個人情報ＤＢから前記高類似集積記事の作者に関する個人情報を抽出し、これらを学生端末に表示することを特徴とするブログを使った学生生活ナビシステム。
【請求項２】
請求項１に記載した学生生活ナビシステムにおいて、前記学生端末は、現役学生端末と卒業生端末からなることを特徴とする学生生活ナビシステム。
【請求項３】
請求項１に記載した学生生活ナビシステムにおいて、前記サーバーはさらに成績ＤＢを備え、
前記成績ＤＢは学生の履修科目とその成績を記憶し、
前記学生端末から履修科目とその成績を読み出すことができることを特徴とする学生生活ナビシステム。
【発明の詳細な説明】
【技術分野】
【０００１】
本発明は、通常、学校法人が運営し、学生がＰＣや携帯電話からアクセスする教育、研究、就職や生活などに関する情報発信受信システムに関するものである。より詳しくは、ブログを介在し、ブログの主題に興味をもつ他の学生などを検索することにより、例えば、研究や就職の情報を収集し、また、友人作りの一助となる情報を提供するサーバークライアントシステムに関するものである。
【背景技術】
【０００２】
総じて、現在の若者は対面しての会話が苦手であり、新しい人間関係を築くことが苦手といわれている。一方、ブログやメールなど間接的なコニュミケーション手段は彼らに広く利用されている。
【０００３】
大学生活は、若者が親元を離れて単身の生活をすることが多く、過去の友人などとも離れた生活の開始となりがちである。新しい環境の中で、新規に友人を作り、勉学に興じ、適切な職を得ることは、とりわけ、会話苦手世代に困難である。このため、スムースに新生活に移行し、学生生活を継続するための援助やナビゲーションの仕組みが望まれる。
【０００４】
他方、学校法人側からみれば、希望に満ちた新入生が対人関係を適切に処理し、新しい生活に慣れて欲しい。入学生が学生生活を継続し、無事卒業してくれることが好ましい。最悪の結果である退学者の人数を減らしたい。また、就職に関しても、同窓生からの情報入手が可能であって、かつ手軽に操作できる手段を提供することが好ましい。
【０００５】
したがって、現代若者の得意なコミュニケーション手段を使って、学生生活をナビゲーションすることは、学生と学校法人の双方にとり重要である。
【０００６】
従来のサーバークライアントシステムは、古書である教科書の出品履歴や売買履歴に基づき学習指向性を分析し、電子メールにより学生に企業情報を配信するもの（古書籍流通支援プログラム）が提案されている（例えば、特許文献１参照。）。
【先行技術文献】
【特許文献】
【０００７】
【特許文献１】特開２００４−１５７９２８号公報
【発明の概要】
【発明が解決しようとする課題】
【０００８】
従来の古書籍流通支援プログラムでは、学習指向性の分析はサーバー側主導で行われるので、学生側に、受取り情報に関する主体性がない。受け取る学生側が受動であるから、メールは迷惑メールになりうる。よって、勉学、研究援助や生活ナビゲーション手段に転用できるものではない。
【０００９】
また、ブログは、それ自体の中に、更新を自動通知したり、トラックバック機能を使用して他のブログに自動リンクしたりなど編集機能が備わっている。しかし、引用の対象は決まっている。このため、ブログを介するネットワークの中から、関連する過去の記事群を抽出するには限界がある。
【００１０】
そこで、解決しようとする問題点は、学生がＰＣや携帯電話を使いブログ記事を書くだけで、当該ブログ記事に関連する過去記事を見つることができ、かつ、当該過去記事作者の個人情報も提供される学内コミュニケーションシステムを作ることにある。
【００１１】
本発明のその他の課題は、本発明の説明により明らかになる。
【課題を解決するための手段】
【００１２】
本発明の好ましい一の態様において、学生生活ナビシステムは、サーバー、通信回線を通じて前記サーバーに接続される複数の学生端末からなるブログを使った学生生活ナビシステムにあって、
サーバーは端末頁制御手段、ブログ実行手段、類似判定手段、記事ＤＢ、個人情報ＤＢを備え、
前記端末頁制御手段は、学生生活ナビシステムにおける入出力端末として機能する学生端末の前記機能を制御し、前記サーバー内の前記各手段を制御するとともに前記学生端末と前記サーバー間のデータ送受信を制御し、
ブログ実行手段は前記学生端末にブログ頁を実現・表示させ、
類似判定手段は、指定記事と記事ＤＢに記憶された記事である集積記事の類似度を判定し類似度の高い集積記事を抽出し、
記事ＤＢはブログ頁に書き込まれた記事、前記記事の情報と前記記事の作者を記憶し、
個人情報ＤＢは学生毎の個人情報を記憶するものであり、
前記学生端末は記事指定手段を備え、
前記学生端末が指定記事を指定して前記指定記事と集積記事の類似検索を要求したとき、前記サーバー内の前記類似判定手段が記事ＤＢ中の集積記事から類似度の高い高類似集積記事を抽出し、さらに前記端末頁制御手段が前記個人情報ＤＢから前記高類似集積記事の作者に関する個人情報を抽出し、これらを学生端末に表示することを特徴とする。
【００１３】
本発明の好ましい実施態様にあって、前記学生端末は、現役学生端末と卒業生端末からなるものであってもよい。
【００１４】
本好ましい実施態様によれば、現役学生のみならず卒業生も学生生活ナビシステムに参加でき、卒業生の経験という偉大な知識が集積記事に加わるという利点がある。そして、学生側は就職に関連するホット情報が得られ、卒業生は学校に対する帰属意識が高まるなどの利点がある。
【００１５】
本発明の他の好ましい実施態様にあって、前記サーバーはさらに成績ＤＢを備え、
前記成績ＤＢは学生の履修科目とその成績を記憶し、
前記学生端末から履修科目とその成績を読み出すことができるものであってもよい。
【００１６】
本好ましい実施態様によれば、学園生活ナビシステムは学校生活にとりより一層重要な情報のアクセス手段となり、学生と学校法人にとりより一層必要不可欠なものとなる利点がある。
【００１７】
以上説明した本発明、本発明の好ましい実施態様、これらに含まれる構成要素は可能な限り組み合わせて実施することができる。
【発明の効果】
【００１８】
本発明は記事ＤＢに記憶された多数の集積記事の中から、指定ブログ記事に類似する集積記事を検索抽出し、当該集積記事の作者などの情報とともに学生端末に表示する。このため、ブログを書き、指定ブログである旨を指定するのみで、指定ブログ記事のテーマと同様なテーマに関心を持つ人を自動で見つけることができる。これは、ブログなど電子機器端末を通じての意見交換に長じた現代の青年に格好の勉学、研究支援、友人候補検索ツールや就職支援などの学生生活ナビシステムとなる。
【図面の簡単な説明】
【００１９】
【図１】図１は学生生活ナビシステムの構成を示すブロック図である。
【図２】図２は学生端末上のブログ頁を示す概念図である。
【図３】図３は指定記事の高類似集積記事を抽出する処理を説明するフローチャートである。
【図４】図４は学生端末に表示される類似検索結果を示す概念図である。
【発明を実施するための形態】
【００２０】
以下、図面を参照して本発明の実施例にかかる学生生活ナビシステムをさらに説明する。本発明の実施例に記載した部材や部分の形状、その相対位置などは、とくに特定的な記載のない限りは、この発明の範囲をそれらのみに限定する趣旨のものではなく、単なる説明例にすぎない。
【００２１】
本実施例の学生生活ナビシステム１は、通信回線２１に接続された学生端末であるコンピュータ１１ａ、学生端末である携帯電話１１ｂと、通信回線２１に接続されたサーバー３０とで構成されている。
【００２２】
通信回線２１は、インターネット網である。通信回線２１は、ＷＡＮ（Wide Area Network）、ＡＤＳＬ（Asymmetric Digital Subscriber Line）回線、専用線等の他、ＬＡＮ（Local Area Network）を経由した接続も含まれる。また、通信回線２１は、有線に限られるものではなく、無線により接続されるもの、一部が無線で残余が有線で接続されるものであってもよい。
【００２３】
サーバー３０は、通信回線２１によりインターネットに接続されたウェブサーバーである。サーバー３０は、端末頁制御手段３１、ブログ実行手段３２、類似判定手段３３を備えている。これらの各手段はソフトウェアにより実現可能に構成されている。ブログ実行手段３２と類似判定手段３３は、サーバー３０の中に組み込まれたものであってもよく、ＡＳＰのように他のサーバーに置かれたソフトウェアを使用するものであってもよい。
【００２４】
また、サーバー３０は、記事ＤＢ３６、個人情報ＤＢ３７、成績ＤＢ３８、学生課ＤＢ３９を備えている。本発明と本明細書において、ＤＢはデータベースを示す省略記号である。これらの各ＤＢは記憶手段により構成される。記憶手段としてはサーバー内部のメモリー、外部メモリー、別体のサーバーやコンピュータのメモリーなどであってもよい。
【００２５】
学生端末は、通信回線２１によりインターネットに接続されたコンピュータ１１ａや携帯電話１１ｂであり、サーバー３０から配信されたコンテンツを閲覧し、各種情報を入力し、サーバーに送信可能なものである。学生端末は、例えば、ＰＤＡ（Personal Digital Assistants）であってもよい。
【００２６】
学生端末１１ａ、１１ｂは、学生生活ナビシステムの中では入出力端末としての役割を担うものである。端末頁制御手段３１は、学生端末１１ａ、１１ｂの入出力端末としての機能を制御し、また、学生端末１１ａ、１１ｂとサーバー３０間のデータ送受信を制御する。また、端末頁制御手段３１は、サーバー３０内のブログ実行手段３２と類似判定手段３３の動作、実行順序などを制御する。
【００２７】
ブログ実行手段３２は、通信回線２１を介してサーバー３０にアクセスした学生端末１１ａ、１１ｂに、ブログ頁を実現・表示させるものである。ブログ実行手段３２は、また、学生端末１１ａ、１１ｂにより、ブログ頁に書き込まれた記事及び書き込まれた記事の情報を、記事ＤＢ３６に記憶させるものである。
【００２８】
類似判定手段３３は、学生端末１１ａ、１１ｂが指定する指定記事と、記事ＤＢ３６に記憶された記事である集積記事の類似度を判定し類似度の高い集積記事と、当該集積記事の情報を抽出するものである。類似判定手段は、２つの文章の間で類似を判断するものである。例えば、指定記事から特定の単語（特定単語という）を抽出選択し、当該単語が検索対象の集積記事中にあるかないかを判断するものである。また、例えば特定単語に、類似判定手段内に備える類似語辞典を参照して選択した類似単語を加え、これら特定単語と類似単語が、検索対象の集積記事中にあるかないかを判断するものであってもよい。
【００２９】
さらに、例えば、特定単語や類似単語の間に入る文字の数により、類似程度を点数付けするものであってもよい。これら類似判定手段は、当業者にとり公知のプログラムなどを使用すればよい。
【００３０】
記事ＤＢ３６には、学生端末１１ａ、１１ｂから入力されたブログ頁のコンテンツ（文章、写真、画像など）である記事、当該記事作者の学籍番号、当該記事の情報が記憶される。当該記事の情報は、例えば、記事に割り当てられた固有ウエッブページ記号、トラックバックの情報、引用情報などである。
【００３１】
個人情報ＤＢ３７は、学籍番号、氏名、所属学部、所属学科、所属クラブ、電子メールアドレス、ゼミ名称などが記憶される。
【００３２】
成績ＤＢ３８は、学籍番号、履修科目、得点などが記憶されている。成績ＤＢ３８は、通常、大学法人の教務課などが入力し、管理するＤＢであり、サーバー３０とは別体のサーバーに記憶されている。そして、成績ＤＢ３８とサーバー３８とは、通信回線でアクセス可能に接続される。
【００３３】
学生課ＤＢ３９は、大学祭、創立記念日などの年間行事、学生寮の情報、試験日、休講・補講情報などが記憶される。
【００３４】
学生生活ナビシステム１の動作を説明する。
【００３５】
利用登録した学生には、識別番号とパスワードが付与される。学生は適当な端末からサーバーにアクセスし、識別番号パスワードなどの入力後にシステムに入る。初回のアクセスでは、端末頁制御手段３１から端末頁プログラムをダウンロードする。
【００３６】
図２は学生端末上のブログ頁を示す概念図である。上部にあるブログ、類似記事、成績、行事のタブをクリックするとそれぞれの入力、出力表示画面になる。ブログ頁は、文章を記入し、写真、画像などを所定位置に貼り付けると、ブログをアップロードすることができる。
【００３７】
図３を参照して、指定記事の高類似集積記事を抽出する処理を説明する。ステップＳ１０１で、学生端末は類似記事検索ジョブに移行する。実際操作は学生端末表示の上部にある類似記事タブをクリックする。
【００３８】
ステップＳ１０２で、学生端末から指定記事を指定する。これは、直前に入力した記事であってもよいし、記事ＤＢ３６に記憶されている集積記事から呼び出した記事であってもよい。
【００３９】
ステップＳ１０３で、学生端末からサーバー３０に類似記事検索要求を行う。サーバー３０では、ステップＳ１６１で類似判定手段３３が記事ＤＢ３６にアクセスし、ステップＳ１６２で類似度が高い高類似集積記事を抽出する。抽出する集積記事の数は、Ｓ１０３で予め定められる。例えば、４件を抽出する。
【００４０】
ここで、類似判定手段３３は、集積記事の情報（タイトル、固有ウエッブページ記号、作者の学籍番号など）を抽出する。同時に集積記事のコンテンツを抽出してもよく、しなくてもよい。しなくてもよい理由は、固有ウエッブページ記号があれば、即座にコンテンツにアクセス可能だからである。
【００４１】
ステップＳ１６３で、端末頁制御手段３１が個人ＤＢにアクセスする。そして、ステップＳ１６４では、ステップＳ１６２で抽出された作者の学籍番号に対応する個人情報を抽出取得する。ステップＳ１６４でサーバー３０は学生端末に検索結果を送信し、ステップＳ１０４で学生端末は検索結果を表示する。
【００４２】
検索結果を得た学生は、コンタクト欄に記載された電話、携帯電話メールなどで作者と直接連絡したり、学内の特定場所などで会見したりすることができる。
【００４３】
以上説明した学生生活ナビシステムは、通常、現役学生のみがシステムに加入するクローズドシステムである。より、好ましくは、卒業生もシステムに加入することである。この場合、卒業生が使用する端末を便宜上、卒業生端末と呼称する。卒業生がシステムに参加すれば、卒業生の経験という偉大な知識が集積記事に加わるという利点がある。そして、学生側は就職に関連するホット情報が得られ、卒業生は帰属意識が高まるなどの利点がある。
【００４４】
学生生活ナビシステムにとって、成績ＤＢと学生課ＤＢは付加的な構成要素であるが、これらが加入された学生生活ナビシステムは、より一層、学生にとって不可欠、身近な道具となり、システム加入者が増える、あるいは、既加入者の使用頻度が上がるなどの利点がある。
【符号の説明】
【００４５】
１    学生生活ナビシステム
１１ａ、１１ｂ  学生端末
２１  通信回線
３０  サーバー
３１  端末頁制御手段
３２  ブログ実行手段
３３  類似判定手段
３６  記事ＤＢ
３７  個人情報ＤＢ
３８  成績ＤＢ
３９  学生課ＤＢ
【図１】
2010176340.tif 000003
【図２】
2010176340.tif 000004
【図３】
2010176340.tif 000005
【図４】
2010176340.tif 000006